(57)【要約】  ユーザの利便性を向上させることができる基板作業システムを提供することを課題とする。基板作業システム１００は、基板ＰＢに部品を装着する装着機本体１０と、装着機本体１０に設けられる表示装置４０と、装着機本体１０に設けられ、ユーザの操作を入力する入力装置２０と、部品を基板ＰＢに装着するための装着機本体１０の制御に用いる制御データ、及び、制御データとは異なり、ユーザにより作成されたオリジナルデータを記憶する記憶装置３０と、入力装置２０に対し、ユーザから表示要求操作が入力された場合に、表示装置４０にオリジナルデータを表示させる制御装置５０と、を備える。
2018016078.tif 000002
【特許請求の範囲】
【請求項１】
基板に対して所定の作業を行う作業本体と
前記作業機本体に設けられる表示装置と、
前記作業機本体に設けられ、ユーザの操作を入力する入力装置と、
前記所定の作業を行うための前記作業機本体の制御に用いる制御データ、及び、前記制御データとは異なり、前記ユーザにより作成されたオリジナルデータを記憶する記憶装置と、
前記入力装置に対し、前記ユーザから表示要求操作が入力された場合に、前記表示装置に前記オリジナルデータを表示させる制御装置と、
を備える、基板作業システム。
【請求項２】
前記表示装置は、前記制御データを画面上に表示するための制御データ選択ボタン及び前記オリジナルデータを画面上に表示するためのオリジナルデータ選択ボタンを含む選択画面を表示し、
前記制御装置は、前記入力装置に対し、前記表示要求操作としての前記オリジナルデータ選択ボタンに対する操作が入力された場合に、前記表示装置に前記オリジナルデータを表示させる、請求項１に記載の基板作業システム。
【請求項３】
前記選択画面は、ホーム画面に表示される、請求項２に記載の基板作業システム。
【請求項４】
前記オリジナルデータは、主要部分となるメインデータと、前記メインデータに関連付けられたサブデータとを備え、
前記制御装置は、前記記憶装置に記憶された前記サブデータを前記表示装置に一覧表示し、前記入力装置により選択された前記サブデータに関連付けられた前記メインデータを前記表示装置に表示する、請求項１−３の何れか一項に記載の基板作業システム。
【請求項５】
前記記憶装置は、前記作業機本体に設けられる、請求項１−４の何れか一項に記載の基板作業システム。
【請求項６】
前記基板作業システムは、前記作業機本体にネットワークを介して接続された前記記憶装置を有するホストコンピュータをさらに備え、
前記制御装置は、前記入力装置に前記表示要求操作が入力された場合に、前記記憶装置に記憶される前記オリジナルデータをネットワークを介して取得し、前記表示装置に表示させる、請求項１−５の何れか一項に記載の基板作業システム。
【請求項７】
前記オリジナルデータは、前記作業機本体の外部で作成され、
前記入力装置は、前記オリジナルデータの作成及び編集が不能である、請求項１−６の何れか一項に記載の基板作業システム。
【発明の詳細な説明】
【技術分野】
【０００１】
本発明は、基板作業システムに関する。
【背景技術】
【０００２】
使用方法に関するデータ等が予め記憶された記憶装置と、記憶装置に記憶されたデータを表示する表示装置とを備えた作業機が知られている。こうした作業機では、基板に対して所定の作業を行うための制御に用いる制御データについて、ユーザによる登録及び編集が許容される一方、使用方法に関するデータ等について、ユーザによる追加登録や編集が制限されることが一般的である。この点に関し、特許文献１には、装置の異常時に表示されるエラーメッセージについて、ユーザによる編集及び変更を可能とする技術が開示されている。
【先行技術文献】
【特許文献】
【０００３】
【特許文献１】特開２００６−２２２６３３号公報
【発明の概要】
【発明が解決しようとする課題】
【０００４】
ここで、エラーメッセージは、主としてエラーの発生等を装置が検知した場合に表示されるものであり、表示されるタイミングや表示内容が限定される。よって、上記した従来技術は、ユーザの利便性向上を図るという点において不十分であった。【０００５】
本発明は、ユーザの利便性を向上させることができる基板作業システムを提供することを目的とする。
【課題を解決するための手段】
【０００６】
本発明の基板作業システムは、基板に対して所定の作業を行う作業機本体と、前記作業機本体に設けられる表示装置と、前記作業機本体に設けられ、ユーザの操作を入力する入力装置と、前記所定の作業を行うための前記作業機本体の制御に用いる制御データ、及び、前記制御データとは異なり、前記ユーザにより作成されたオリジナルデータを記憶する記憶装置と、前記入力装置に対し、前記ユーザから表示要求操作が入力された場合に、前記表示装置に前記オリジナルデータを表示させる制御装置と、を備える。【０００７】
本発明の基板作業システムによれば、ユーザにより表示要求操作が入力されることにより、ユーザの作成したオリジナルデータが表示装置に表示される。即ち、本発明の基板作業システムでは、ユーザが作成したデータを、ユーザの望むタイミングで表示させることができるので、利便性を向上させることができる。
【図面の簡単な説明】
【０００８】
【図１】本発明の一実施形態における基板作業システムの概略図である。
【図２】選択画面の中から、制御データ選択ボタンを選択したときに表示装置に表示される画面を示す図である。
【図３Ａ】選択画面の中から、オリジナルデータ選択ボタンを選択したときに表示装置に表示される画面を示す図である。
【図３Ｂ】メインデータが表示装置に表示された画面を示す図である。
【図４】制御装置により実行されるオリジナルデータ表示処理を示すフローチャートである。
【発明を実施するための形態】
【０００９】
以下、本発明に係る基板作業システムを適用した実施形態について、図面を参照しながら説明する。なお、図１において、基板ＰＢの搬送方向をＸ軸方向、Ｘ軸方向と水平方向に直角な方向をＹ軸方向、Ｘ軸方向及びＹ軸方向に直交する方向をＺ方向とする。
【００１０】
（１．基板作業システム１００の構成）
まず、図１を参照して、基板作業システム１００の概要について説明する。図１に示すように、基板作業システム１００は、基板に対して所定の作業を行う作業機本体としての装着機本体１０と、入力装置２０と、記憶装置３０と、表示装置４０と、制御装置５０と、を主に備える。装着機本体１０は、基板ＰＢに電子部品を装着する。装着機本体１０は、基板搬送装置１１と、部品供給装置１２と、部品移載装置１３とを主に備える。
【００１１】
基板搬送装置１１は、一対のガイドレール１１ａと、一対のコンベアベルト１１ｂと、クランプ装置１１ｃとを主に備える。ガイドレール１１ａは、Ｘ軸方向へ延びる部材であり、一対のガイドレール１１ａは、互いに平行に配置される。コンベアベルト１１ｂは、基板ＰＢを載置可能な無端状の部材であり、一対のコンベアベルト１１ｂは、ガイドレール１１ａの互いに向かい合う内側に輪転可能に設けられる。クランプ装置１１ｃは、一対のガイドレール１１ａの間であって、Ｘ軸方向における中央部分に設定された部品装着位置の下方に配置される。基板ＰＢは、一対のガイドレール１１ａによって案内されつつ、一対のコンベアベルト１１ｂにより部品装着位置まで搬送された後、クランプ装置１１ｃにより部品装着位置に位置決め固定される。
【００１２】
部品供給装置１２は、フィーダ１２ａと、パレット１２ｂとを主に備える。フィーダ１２ａは、その後部（図１下側）にリールＲを交換可能に保持し、リールＲには、複数の電子部品を収容したキャリアテープが巻回される。パレット１２ｂは、略矩形状に形成される。パレット１２ｂの上面には、Ｙ軸方向に延びる複数のスロット１２ｃが形成され、それら複数のスロット１２ｃが形成される位置にフィーダ１２ａが装備される。部品供給装置１２は、リールＲからキャリアテープを所定のピッチで引き出し、電子部品をフィーダ１２ａの前方（図１上側）へ順次、送り込む。
【００１３】
部品移載装置１３は、一対の固定レール１３ａと、ヘッド移動レール１３ｂと、装着ヘッド１３ｃとを主に備える。固定レール１３ａは、Ｙ軸方向に延びる部材であり、一対の固定レール１３ａは、基板搬送装置１１の上方において互いに平行に配置される。ヘッド移動レール１３ｂは、Ｘ軸方向に延びる部材であり、ヘッド移動レール１３ｂのＸ軸方向両端が固定レール１３ａに移動可能に支持される。装着ヘッド１３ｃは、ヘッド移動レール１３ｂによりＸ軸方向へ移動可能に支持される一方、図示しないボールねじ送り機によりＹ軸方向へ駆動される。
【００１４】
入力装置２０は、装着機本体１０に設けられ、装着機本体１０を扱うユーザにより操作される。なお、入力装置２０としては、キーボード、ポインティングデバイス、タッチパネルや音声認識機能を有する装置等が例示される。
【００１５】
記憶装置３０は、装着機本体１０に設けられる。記憶装置３０は、制御データ記憶領域３１と、自動表示データ記憶領域３２と、初期データ記憶領域３３と、オリジナルデータ記憶領域３４と、を備える。
【００１６】
制御データ記憶領域３１は、電子部品を基板ＰＢに装着するための装着機本体１０の制御に用いる制御データを記憶する。制御データとしては、基板ＰＢや部品の寸法、部品を装着する順序や位置等に関するデータ等が例示される。なお、ユーザは、制御データ記憶領域３１に記憶される制御データの作成及び編集について、入力装置２０を用いて行うことが可能である。
【００１７】
自動表示データ記憶領域３２は、エラーの発生やメンテナンス時期の到来等を契機として表示装置４０に自動的に表示される自動表示データを記憶する。自動表示データとしては、エラーの発生やエラーの解消方法をユーザに知らせるためのデータや、各種部品の交換方法を知らせるためのデータ等が例示される。また、自動表示データ記憶領域３２に記憶される自動表示データは、なお、ユーザは、自動表示データ記憶領域３２に記憶される自動表示データについて、追加作成及び編集を行うことができない。
【００１８】
初期データ記憶領域３３は、制御データ及び自動表示データとは異なるデータであって、装着機本体１０の製造業者が予め作成した初期データを記憶する。初期データとしては、装着機本体１０の一般的な使用方法や注意事項に関する情報等が例示される。なお、ユーザは、初期データ記憶領域３３に記憶される初期データについて、追加作成及び編集を行うことができない。
【００１９】
オリジナルデータ記憶領域３４は、制御データ及び自動表示データとは異なるデータであって、ユーザが作成したオリジナルデータを記憶する。オリジナルデータとしては、初期データ記憶領域にないユーザ特有の取扱事項や注意事項のほか、装着機本体１０の使用とは直接的な関連性の低い連絡事項等が記載されたドキュメントファイルが例示される。また、ドキュメントファイルは、具体的に、ＰＤＦファイル、ＤＯＣファイル、ＰＰＴファイル、ＸＬＳファイル、ＨＴＭＬファイル及びＴＸＴファイルなどである。
【００２０】
表示装置４０は、装着機本体１０に設けられ、記憶装置３０に記憶されるデータを表示する。なお、表示装置４０としては、液晶ディスプレイやＣＲＴ等が例示される。制御装置５０は、ユーザからの求めに応じて、或いは、エラーの発生等を契機として、記憶装置３０に記憶されるデータの中から該当するデータを表示装置４０に表示させる。
【００２１】
（２．データの表示態様）
次に、図２〜図３Ｂを参照して、表示装置４０に表示するデータの表示態様について、例を挙げながら説明する。図２及び図３Ａには、装着機本体１０の立ち上げ時や、入力装置２０により選択可能なホームボタン６３（図３Ｂ参照）を選択した場合に表示されるホーム画面を、表示装置４０に表示した状態が図示されている。
【００２２】
図２及び図３Ａに示すように、ホーム画面には、「Product」、「Setting」、「File」とタブ表示された４つの制御データ選択ボタン６１、及び、「User」とタブ表示されたオリジナルデータ選択ボタン６２が表示された選択画面６０が表示される。ユーザは、入力装置２０を操作し、４つの制御データ選択ボタン６１及びオリジナルデータ選択ボタン６２の中から１つを選択する。
【００２３】
このように、ホーム画面には、選択画面６０として制御データ選択ボタン６１及びオリジナルデータ選択ボタン６２が同時に表示されるので、ユーザがオリジナルデータを閲覧しようとした場合に、オリジナルデータを表示装置４０に表示させるまでに要する操作回数を少なくすることができる。
【００２４】
図２には、４つの制御データ選択ボタン６１うち、「Product」が選択されたときの画面が図示されている。このとき、表示装置４０には、制御データ記憶領域３１に記憶された１つの制御データのタイトル『ABC123456』が表示される。表示された制御データがユーザにより選択されると、装着機本体１０は、制御データの内容に基づき、部品の装着作業を開始する。
【００２５】
図３Ａには、ユーザによる入力装置２０の操作により、オリジナルデータ選択ボタン６２としての「User」が選択されたときに、表示装置４０に表示される画面が図示されている。このとき、表示装置４０には、オリジナルデータ記憶領域３４に記憶された複数のオリジナルデータのうち、各々のオリジナルデータのタイトルを示すサブデータ７１が一覧表示される。
【００２６】
サブデータ７１は、各々のオリジナルデータの主要部分であるメインデータ７２に関連づけられたデータであり、例えば、データが作成又は更新された日時が新しいものから順に表示される。なお、サブデータ７１は、オリジナルデータのタイトルに限られるものではない。例えば、オリジナルデータが文書等である場合には、文書等の一部や冒頭部分をサブデータ７１としてもよく、オリジナルデータが画像等である場合には、画像等の一部や縮小図等をサブデータ７１としてもよい。また、装着機本体１０の使用時にユーザのＩＤが入力された場合に、入力されたＩＤを有するユーザが閲覧していない未読のオリジナルデータと、ユーザが既に閲覧した既読のオリジナルデータとの違いを把握できるような態様で、サブデータ７１の一覧表示が表示されていてもよい。
【００２７】
図３Ａには、５つのサブデータ７１が一覧表示されている。５つのサブデータ７１のうち、最も上にあるサブデータ７１は、『ＩＤ：＊＊＊＊バーコード貼り付け位置．ＰＤＦ』であり、部品又は基板等に対し、ユーザがバーコードを貼り付ける際の貼り付け位置を示すデータが、メインデータ７２としてオリジナルデータ記憶領域３４に記憶される。上から２番目のサブデータ７１は、『操作モニタ回転時の注意事項』であり、表示装置４０としての操作モニタを回転させる際の注意事項を示すデータが、メインデータ７２としてオリジナルデータ記憶領域３４に記憶される。上から３番目にあるサブデータ７１は、『デバイス交換時注意事項．ＰＤＦ』であり、デバイスの交換を行う際の注意事項を示すデータが、メインデータ７２としてオリジナルデータ記憶領域３４に記憶される。
【００２８】
上から４番目にあるサブデータ７１は、『＊月＊＊日生産スケジュール』であり、＊月＊＊日の生産スケジュールを示すデータが、メインデータ７２としてオリジナルデータ記憶領域３４に記憶される。上から５番目にある（最も下にある）サブデータ７１は、『７号ライン電源投入時注意事項』であり、生産ラインの一つである７号ラインにおいて電源を投入する際の注意事項を示すデータが、メインデータ７２としてオリジナルデータ記憶領域３４に記憶される。このように、オリジナルデータ記憶領域３４に記憶されるオリジナルデータは、装着機本体１０により部品を基板に装着する際の命令となる制御データとは性質が異なるデータである。
【００２９】
図３Ｂに示すように、例えば、ユーザが、一覧表示されたサブデータ７１の１つである『操作モニタ回転時の注意事項』を選択した場合、選択したサブデータ７１に関連づけられたメインデータ７２が、表示装置４０に表示される。
【００３０】
このようにして、基板作業システム１００では、オリジナルデータ選択ボタンが選択された場合に、オリジナルデータ記憶領域３４に記憶されたオリジナルデータのサブデータ７１を一覧表示する。そして、一覧表示されたサブデータ７１の中から一つのサブデータ７１が選択された場合に、その選択されたサブデータ７１に関連づけられるメインデータ７２が表示される。従って、基板作業システム１００では、オリジナルデータ選択ボタン６２を選択した際に複数のオリジナルデータの内容を全て表示する場合と比べて、表示が完了するまでに要する時間を短縮できると共に、ユーザが求めるデータを見つけやすくすることができる。
【００３１】
また、ユーザがオリジナルデータを閲覧しようとしたときに、ユーザは、ホーム画面に表示される選択画面６０の中からオリジナルデータ選択ボタン６２を選択し、閲覧しようとするオリジナルデータを表示装置４０に表示させることができる。即ち、ユーザは、ユーザの任意のタイミングで、オリジナルデータを閲覧することができる。またその結果として、オリジナルデータは、エラーの発生やメンテナンス時期の到来等を契機として表示装置４０に表示される自動表示データのように、表示装置４０に表示されるタイミングや内容が拘束されないので、オリジナルデータの内容に自由度を持たせることができる。
【００３２】
なお、オリジナルデータ記憶領域３４に記憶されるオリジナルデータは、複数の装着機本体１０とネットワークを介して接続されるホストコンピュータ８０で一般的な文書作成ソフトによって作成され、作成されたオリジナルデータは、ネットワークを介して記憶装置３０に転送される。その一方、オリジナルデータの作成及び編集は、装着機本体１０に設けられた入力装置２０を用いて行うことができない。即ち、基板作業システム１００では、オリジナルデータについて、入力装置２０により入力可能な操作が、閲覧するオリジナルデータを選択するための操作に限定されている。これにより、ユーザの不慣れな操作により、予期せぬ変更が制御データに加えられることを未然に回避できるので、基板作業システム１００は、装着機本体１０による部品の装着作業に関し、不具合が発生することを防止できる。
【００３３】
（３．オリジナルデータ表示処理）
次に、図４を参照して、制御装置５０により実行されるオリジナルデータ表示処理について説明する。
【００３４】
図４に示すように、オリジナルデータ表示処理において、制御装置５０は、最初に、選択画面６０が表示されるホーム画面を表示装置４０に表示中であるか否かを判定する（Ｓ１）。そして、ホーム画面を表示中であれば（Ｓ１：Ｙｅｓ）、制御装置５０は、続いて、選択画面６０として表示される４つの制御データ選択ボタン６１及びオリジナルデータ選択ボタン６２のうち、オリジナルデータ選択ボタン６２が選択されたか否かを判定する（Ｓ２）。具体的には、制御装置５０は、入力装置２０に対して行うユーザの操作として、オリジナルデータ選択ボタン６２の選択が実行されたか否かの判定を行う。
【００３５】
そして、オリジナルデータ選択ボタン６２が選択された場合には（Ｓ２：Ｙｅｓ）、制御装置５０は、サブデータ７１を表示装置４０に一覧表示し（Ｓ３）、本処理を終了する。一方、オリジナルデータ選択ボタン６２が選択されていない場合には（Ｓ２：Ｎｏ）、制御装置５０は、Ｓ３の処理をスキップし、そのまま処理を終了する。
【００３６】
また、制御装置５０は、Ｓ１の処理において、表示装置４０にホーム画面を表示中でないと判定した場合には（Ｓ１：Ｎｏ）、表示装置４０にサブデータ７１を一覧表示中であるか否かを判定する（Ｓ４）。そして、サブデータ７１を一覧表示中であれば（Ｓ４：Ｙｅｓ）、制御装置５０は、続いて、一覧表示されたサブデータ７１の中から一つのサブデータ７１が選択されたか否かを判定する（Ｓ５）。具体的には、制御装置５０は、入力装置２０に対して行うユーザの操作として、１つのサブデータ７１の選択が実行されたか否かの判定を行う。
【００３７】
そして、１つのサブデータ７１の選択が実行された場合には（Ｓ５：Ｙｅｓ）、制御装置５０は、選択された１つのサブデータ７１に関連付けられるメインデータ７２を表示装置４０に表示し（Ｓ６）、本処理を終了する。このとき、制御装置５０は、選択されたサブデータ７１に関連付けられるメインデータ７２をオリジナルデータ記憶領域３４から取り込み、取り込んだメインデータ７２を表示装置４０に表示する。
【００３８】
一方、１つのサブデータ７１の選択が実行されていない場合には（Ｓ５：Ｎｏ）、制御装置５０は、Ｓ３の処理をスキップし、そのまま本処理を終了する。即ち、制御装置５０は、１つのサブデータ７１が選択されるまで、サブデータ７１を表示装置４０に一覧表示する。
【００３９】
また、制御装置５０は、Ｓ４の処理において、表示装置４０にサブデータ７１を一覧表示中でないと判定した場合（Ｓ４：Ｎｏ）、表示装置４０にメインデータ７２を表示中であるか否かを判定する（Ｓ７）。そして、メインデータ７２を一覧表示中でなければ（Ｓ７：Ｎｏ）、制御装置５０は、そのまま本処理を終了する。
【００４０】
一方、メインデータ７２を一覧表示中であれば（Ｓ７：Ｙｅｓ）、制御装置５０は、続いて、表示装置４０に表示されたホームボタン６３が選択されたか否かを判定する（Ｓ８）。具体的には、制御装置５０は、入力装置２０に対して行うユーザの操作として、ホームボタン６３の選択が実行されたか否かの判定を行う。そして、ホームボタン６３の選択が実行されていない場合（Ｓ８：Ｎｏ）、制御装置５０は、そのまま本処理を終了する。一方、ホームボタン６３の選択が実行された場合（Ｓ８：Ｙｅｓ）、制御装置５０は、表示装置４０にホーム画面を表示する（Ｓ９）。
【００４１】
このとき、制御装置５０は、ホーム画面に表示される選択画面６０として、オリジナルデータ選択ボタン６２が選択された状態、つまり、表示装置４０にサブデータ７１が一覧表示された状態を表示装置４０に表示する。よって、例えば、一覧表示されたサブデータ７１の中から１つのサブデータ７１を選択した結果、表示されたメインデータ７２が、ユーザが閲覧しようとしていたメインデータ７２とは異なっていた場合に、ユーザは、ホームボタン６３を選択することにより、１つ前の画面（サブデータ７１が一覧表示された状態）に戻すことができる。そして、ユーザは、表示装置４０に一覧表示されたサブデータ７１の中から、再度１つのサブデータ７１を選択することで、その選択したサブデータ７１に関連付けられたメインデータ７２を表示画面に表示させることができる。従って、基板作業システム１００では、先に表示されたメインデータ７２とは異なるメインデータ７２を表示させるまでに要する操作回数を少なくすることができる。
【００４２】
一方、ホームボタン６３の選択が実行されていない場合には（Ｓ８：Ｎｏ）、制御装置５０は、制御装置５０は、Ｓ９の処理をスキップし、そのまま処理を終了する。即ち、制御装置５０は、ホームボタン６３が選択されるまで、メインデータ７２を表示装置４０に表示する。
【００４３】
以上説明したように、基板作業システム１００によれば、ユーザは、入力装置２０に対し、閲覧しようとするオリジナルデータの表示要求操作を入力することにより、表示装置４０に該当するオリジナルデータを表示させることができる。即ち、ユーザは、オリジナルデータを任意のタイミングで閲覧することができるので、ユーザの利便性を向上させることができる。
【００４４】
さらに、ユーザがオリジナルデータ選択ボタン６２を選択した場合、表示装置４０にはメインデータ７２に関連付けられたサブデータ７１が一覧表示されるので、ユーザは、一覧表示されたサブデータ７１の中から、ユーザが閲覧しようとするメインデータ７２を含むオリジナルデータを容易に見つけることができる。
【００４５】
（４．その他）
以上、上記実施形態に基づき本発明を説明したが、本発明は上記実施形態に何ら限定されるものではなく、本発明の趣旨を逸脱しない範囲内で種々の変形改良が可能であることは容易に推察できるものである。
【００４６】
例えば、上記実施形態では、ホストコンピュータ８０により作成したオリジナルデータが、装着機本体１０に設けられた記憶装置３０に転送される場合について説明したが、これに限られるものではない。例えば、記憶装置３０が装着機本体１０に設けられる場合について説明したが、これに限られるものではない。例えば、ホストコンピュータ８０により作成したオリジナルデータが、ＵＳＢメモリ等の装着機本体１０に接続可能な記憶媒体に記憶されていてもよい。また、オリジナルデータが、ネットワークを介して装着機本体１０に接続されたホストコンピュータ８０の記憶装置に記憶され、ユーザの表示要求操作があった場合に、制御装置５０が、ホストコンピュータ８０の記憶装置に記憶されたオリジナルデータを、ネットワークを介して取得し、表示装置４０に表示させてもよい。
【００４７】
本実施形態では、オリジナルデータがホストコンピュータ８０で作成される場合について説明したが、オリジナルデータが、装着機本体１０の外部に設けられたホストコンピュータ８０以外のコンピュータにより作成されたものであってもよい。
【００４８】
本実施形態では、装着機本体１０及び入力装置２０によるオリジナルデータの作成及び編集が不能である場合について説明したが、装着機本体１０及び入力装置２０によるオリジナルデータの作成及び編集が可能な構成を採用してもよい。
【００４９】
本実施形態では、基板に対して所定の作業を行う作業機として装着機本体１０を例示して説明したが、作業機としては、例えば、基板にクリーム半田を印刷する半田印刷機、基板に接着剤を塗布する接着剤塗布機、基板の検査を行う検査機等であってもよい。
【００５０】
（５．効果）
以上説明したように、本発明における基板作業システム１００は、基板ＰＢに対して所定の作業を行う装着機本体１０としての作業機本体と、作業機本体に設けられる表示装置４０と、作業機本体に設けられ、ユーザの操作を入力する入力装置２０と、所定の作業を行うための作業機本体の制御に用いる制御データ、及び、制御データとは異なり、ユーザにより作成されたオリジナルデータを記憶する記憶装置３０と、入力装置２０に対し、ユーザから表示要求操作が入力された場合に、表示装置４０にオリジナルデータを表示させる制御装置５０と、を備える。
【００５１】
この基板作業システム１００によれば、ユーザにより表示要求操作が入力されることにより、ユーザの作成したオリジナルデータが表示装置に表示される。即ち、基板作業システム１００では、ユーザが作成したデータを、ユーザの望むタイミングで表示させることができるので、利便性を向上させることができる。
【００５２】
上記した基板作業システム１００において、表示装置４０は、制御データを画面上に表示するための制御データ選択ボタン６１及びオリジナルデータを画面上に表示するためのオリジナルデータ選択ボタン６２を含む選択画面６０を表示し、制御装置５０は、入力装置２０に対し、表示要求操作としてのオリジナルデータ選択ボタン６２に対する操作が入力された場合に、表示装置４０にオリジナルデータを表示させる。この基板作業システム１００によれば、ユーザは、任意のタイミングでオリジナルデータを表示装置４０に表示させることができるので、利便性を向上させることができる。
【００５３】
上記した基板作業システム１００において、選択画面６０は、ホーム画面に表示される。これによれば、基板作業システム１００は、ユーザが閲覧しようとするオリジナルデータが表示装置４０に表示されるまでに要する操作の回数を少なくすることができる。
【００５４】
上記した基板作業システム１００において、オリジナルデータは、主要部分となるメインデータ７２と、メインデータ７２に関連付けられたサブデータ７１とを備え、制御装置５０は、記憶装置３０に記憶されたサブデータ７１を表示装置４０に一覧表示し、入力装置２０により選択されたサブデータ７１に関連付けられたメインデータ７２を表示装置４０に表示する。
【００５５】
この基板作業システム１００によれば、ユーザが特定のオリジナルデータを表示装置４０に表示させたい場合に、ユーザは、一覧表示されたサブデータ７１の中からユーザが求めるオリジナルデータを容易に見つけ出すことができる。
【００５６】
上記した基板作業システム１００において、記憶装置３０は、装着機本体１０としての作業機本体に設けられる。これによれば、基板作業システム１００は、入力装置２０が表示要求操作を受け付けた場合に、表示要求操作を受けたオリジナルデータを短時間で表示装置４０に表示させることができる。
【００５７】
また、上記した基板作業システム１００は、装着機本体１０としての作業機本体にネットワークを介して接続された記憶装置を有するホストコンピュータ８０をさらに備え、制御装置５０は、入力装置２０に表示要求操作が入力された場合に、記憶装置３０に記憶されるオリジナルデータをネットワークを介して取得し、表示装置４０に表示させる。
【００５８】
これによれば、基板作業システム１００は、装着機本体１０としての作業機本体に設けられる記憶装置３０において、オリジナルデータを表示装置４０に表示させるために必要とされる記憶容量を少なくすることができる。
【００５９】
上記した基板作業システム１００において、オリジナルデータは、装着機本体１０としての作業機本体の外部で作成され、入力装置２０は、オリジナルデータの作成及び編集が不能である。これによれば、基板作業システム１００は、オリジナルデータの作成及び編集機能を装着機本体１０としての作業機本体に持たせることに起因し、装着機本体１０による部品の装着作業に支障が生じることを防止できる。
【符号の説明】
【００６０】
１０：装着機本体（作業機本体）、  ２０：入力装置、  ３０：記憶装置、  ４０：表示装置、  ５０：制御装置、  ６０：選択画面、  ６１：制御データ選択ボタン、  ６２：オリジナルデータ選択ボタン、  ７１：サブデータ、  ７２：メインデータ、  ８０：ホストコンピュータ、  １００：基板作業システム
【図１】
2018016078.tif 000003
【図２】
2018016078.tif 000004
【図３Ａ】
2018016078.tif 000005
【図３Ｂ】
2018016078.tif 000006
【図４】
2018016078.tif 000007
【国際調査報告】
2018016078.tif 000008
2018016078.tif 000009
2018016078.tif 000010